(57)【要約】【課題】エッジガイドを備えるとともに装置本体に対して着脱可能な媒体載置部を備えた媒体給送装置において、装置本体への装着時における媒体の安定した搬送と、装置本体から取り外し時の衝撃等による破損の虞の抑制または回避と、を両立する。【解決手段】媒体給送装置１０は、装置本体２に着脱可能に設けられる媒体載置部１１と、媒体載置部１１に設けられ、用紙Ｐの給送方向と交差する幅方向の側縁をガイドするガイド面１３を備える一対のエッジガイド１２、１２とを備え、エッジガイド１２は、ガイド面１３の少なくとも一部が媒体載置部１１に対して前記給送方向の下流側に突出する突出部３０と、媒体載置部１１に設けられる被取付部４１に取り付ける取付部３１と、突出部３０に対して前記給送方向の反対方向を含む方向への外力が加わった際に、前記外力による取付部３１の破損を抑制する破損抑制手段としての接触部３２とを備える。【選択図】図５
2018127331.tif 000002
【特許請求の範囲】
【請求項１】
装置本体に着脱可能に設けられ、給送される媒体を載置する載置面を備える媒体載置部と、
前記媒体載置部に設けられ、前記媒体の給送方向と交差する幅方向の側縁をガイドするガイド面を備える一対のエッジガイドと、を備え、
前記エッジガイドは、
前記ガイド面の少なくとも一部が前記媒体載置部に対して前記給送方向の下流側に突出する突出部と、
前記媒体載置部に設けられる被取付部に取り付ける取付部と、
前記突出部に対して前記給送方向の反対方向を含む方向への外力が加わった際に、前記外力による前記取付部の破損を抑制する破損抑制手段と、を備える、
ことを特徴とする媒体給送装置。
【請求項２】
請求項１に記載の媒体給送装置において、
前記破損抑制手段は、前記給送方向において、前記取付部と前記突出部との間に設けられ、前記突出部に対して前記外力が加わった際に前記媒体載置部と接触する接触部を備えて構成される、
ことを特徴とする媒体給送装置。
【請求項３】
請求項２に記載の媒体給送装置において、
前記接触部は、前記媒体載置部と接触する接触面を有するリブ部と、前記リブ部を前記接触面の反対側から支持する支持部と、を備える、
ことを特徴とする媒体給送装置。
【請求項４】
請求項１から請求項３のいずれか一項に記載の媒体給送装置において、
前記被取付部は、前記幅方向に長い矩形状の孔部であり、
前記取付部は、前記孔部に挿入可能な矩形状の凸部であるとともに、前記凸部の内部が空洞に形成されており、前記矩形状の凸部の向い合う長辺の先端には、前記凸部の前記孔部からの抜けを規制する一対の抜け止めフックが形成されている、
ことを特徴とする媒体給送装置。
【請求項５】
請求項４に記載の媒体給送装置において、
前記取付部は、前記凸部の少なくとも一つの角部から延設されて、前記凸部が設けられる第１面に立設される延設リブを備え、
前記延設リブは、その延設方向にある、前記第１面と交差する第２面に沿って更に延設される、
ことを特徴とする媒体給送装置。
【請求項６】
請求項５に記載の媒体給送装置において、前記第１面と前記第２面との交差部にＲ面取りが形成されている、
ことを特徴とする媒体給送装置。
【請求項７】
請求項１から請求項６のいずれか一項に記載の媒体給送装置において、前記媒体載置部の前記載置面に載置された前記媒体を給送する給送手段を備え、
前記突出部の少なくとも一部は、前記給送手段の少なくとも一部と装置奥行方向において重なる、
ことを特徴とする媒体給送装置。
【請求項８】
請求項７に記載の媒体給送装置において、
前記給送手段は給送ローラーであり、前記給送ローラーの回転軸を含む少なくとも一部と、前記突出部の少なくとも一部と、が装置奥行方向において重なる、
ことを特徴とする媒体給送装置。
【請求項９】
前記媒体の画像を読み取る読取部と、
前記読取部に向けて前記媒体を給送する請求項１から請求項８のいずれか一項に記載の媒体給送装置と、を備える、
ことを特徴とする画像読取装置。
【請求項１０】
前記媒体に記録を行う記録手段と、
前記記録手段に向けて前記媒体を給送する請求項１から請求項８のいずれか一項に記載の媒体給送装置と、を備える、
ことを特徴とする記録装置。
【発明の詳細な説明】
【技術分野】
【０００１】
本発明は、媒体を搬送する媒体給送装置と、媒体給送装置を備える画像読取装置及び記録装置に関する。
【背景技術】
【０００２】
画像読取装置の一例であるスキャナーには、媒体の一例としての用紙（原稿）を自動で送る媒体給送装置（ＡＤＦ（Auto Document Feeder）とも呼ばれる）が設けられ、複数枚の原稿の自動送りと読み込みとを行える様に構成される場合がある。  
記録装置の一例であるプリンターにおいても、媒体の一例としての記録用紙を自動で送る、同様の媒体給送装置が設けられる場合がある。
【０００３】
そして、その様な媒体給送装置において、給送される用紙が、複数枚重ねられて傾斜姿勢の媒体載置部に支持された状態にセットされるように構成されているものがある（例えば、特許文献２及び特許文献１）。  
特許文献１には、前記媒体載置部としての用紙台１０３を備える用紙搬送装置（スキャナー）が開示されている。  
特許文献２には、前記媒体載置部としてのペーパーサポート１２２を備える記録装置（プリンター）が開示されている。
【先行技術文献】
【特許文献】
【０００４】
【特許文献１】特開２０１４−０４７０５０号公報
【特許文献２】特開２００７−２７６９０８号公報
【発明の概要】
【発明が解決しようとする課題】
【０００５】
ここで、特許文献１の用紙台１０３（媒体載置部）には、前記原稿の幅方向の側縁をガイドするサイドガイド１０４（エッジガイドとも言う）が、用紙サイズに応じて前記幅方向にスライド移動可能に設けられているが、例えば名刺等の小さいサイズの用紙を用紙台１０３にセットすると、用紙の後端がサイドガイド１０４よりも搬送方向下流側になり、サイドガイド１０４による幅方向のガイドができない場合があった。このため、サイドガイド１０４によってガイドされない小さいサイズにおいて、用紙が斜めに搬送される、所謂、スキューが発生する虞があった。
【０００６】
一方、特許文献２において媒体載置部（ペーパーサポート１２２）は、プリンター本体（インクジェット式プリンタ１００）に対して着脱可能に構成されている。着脱可能な媒体載置部は、例えば装置を収納或いは梱包する際に取り外すことができるが、取り外された媒体載置部を単体で取り扱う際に、不用意にぶつけたり落下させてしまう虞がある。  
特に、着脱可能な媒体載置部に、特許文献１のようなエッジガイド（サイドガイド１０４）が設けられていると、落下等の衝撃によりエッジガイドが破損する虞がある。
【０００７】
上記問題点に鑑み、本発明の目的は、エッジガイドを備えるとともに装置本体に対して着脱可能な媒体載置部を備える媒体給送装置において、装置本体への装着時における媒体の安定した搬送と、装置本体から取り外し時の衝撃等による破損の虞の抑制または回避と、を両立することにある。また、前記媒体給送装置を備える画像読取装置或いは記録装置を提供することにある。
【課題を解決するための手段】
【０００８】
上記課題を解決するため、本発明の第１の態様に係る媒体給送装置は、装置本体に着脱可能に設けられ、給送される媒体を載置する載置面を備える媒体載置部と、前記媒体載置部に設けられ、前記媒体の給送方向と交差する幅方向の側縁をガイドするガイド面を備える一対のエッジガイドと、を備え、前記エッジガイドは、前記ガイド面の少なくとも一部が前記媒体載置部に対して前記給送方向の下流側に突出する突出部と、前記媒体載置部に設けられる被取付部に取り付ける取付部と、前記突出部に対して前記給送方向の反対方向を含む方向への外力が加わった際に、前記外力による前記取付部の破損を抑制する破損抑制手段と、を備えることを特徴とする。
【０００９】
本態様によれば、前記エッジガイドが、前記ガイド面の少なくとも一部が前記媒体載置部に対して前記給送方向の下流側に突出する突出部を備えるので、より下流側まで前記ガイド面による媒体側縁のガイドが可能となり、サイズが小さく給送方向の長さが短い媒体に対しての側縁のガイドの確実性を高めることができる。  
また、媒体載置部に突出部が設けられていると、前記装置本体から取り外された前記媒体載置部が例えば過って落下した場合に、前記突出部が落下先の机や床面等にぶつかり易く、その衝撃により媒体載置部に対するエッジガイドの取付部が破損し易い。  
本態様のエッジガイドは、前記突出部に対して前記給送方向の反対方向を含む方向への外力が加わった際に、前記外力による前記取付部の破損を抑制する破損抑制手段を備えるので、前記媒体載置部の落下の衝撃により前記取付部が破損する虞を低減できる。
【００１０】
本発明の第２の態様は、第１の態様において、前記破損抑制手段は、前記給送方向において、前記取付部と前記突出部との間に設けられ、前記突出部に対して前記外力が加わった際に前記媒体載置部と接触する接触部を備えて構成されることを特徴とする。
【００１１】
本態様によれば、前記突出部に対して前記外力が加わった際に、前記取付部と前記突出部との間に設けられる前記接触部が前記媒体載置部と接触することにより、前記外力によって前記取付部に対してかかる応力を低減することができる。以って、前記取付部が破損する虞を低減できる。
【００１２】
本発明の第３の態様は、第２の態様において、前記接触部は、前記媒体載置部と接触する接触面を有するリブ部と、前記リブ部を前記接触面の反対側から支持する支持部と、を備えることを特徴とする。
【００１３】
本態様によれば、前記接触部は、前記媒体載置部と接触する接触面を有するリブ部と、前記リブ部を前記接触面の反対側から支持する支持部と、を備えるので、前記接触部の強度を高めることができる。
【００１４】
本発明の第４の態様は、第１の態様から第３の態様のいずれか一つにおいて、前記被取付部は、前記幅方向に長い矩形状の孔部であり、前記取付部は、前記孔部に挿入可能な矩形状の凸部であるとともに、前記凸部の内部が空洞に形成されており、前記矩形状の凸部の向い合う長辺の先端には、前記凸部の前記孔部からの抜けを規制する一対の抜け止めフックが形成されていることを特徴とする。
【００１５】
本態様によれば、前記媒体載置部の落下等の衝撃に対する強度の高い取付部とすることができる。
【００１６】
本発明の第５の態様は、第４の態様において、前記取付部は、前記凸部の少なくとも一つの角部から延設されて、前記凸部が設けられる第１面に立設される延設リブを備え、前記延設リブは、その延設方向にある、前記第１面と交差する第２面に沿って更に延設されることを特徴とする。
【００１７】
本態様によれば、前記媒体載置部の落下等の衝撃に対する前記取付部の強度を一層高めることができる。
【００１８】
本発明の第６の態様は、第５の態様において、前記第１面と前記第２面との交差部にＲ面取りが形成されている、ことを特徴とする。
【００１９】
本態様によれば、前記媒体載置部の落下等の衝撃に対する前記取付部の強度を一層高めることができる。
【００２０】
本発明の第７の態様は、第１の態様から第６の態様のいずれか一つにおいて、前記媒体載置部の前記載置面に載置された前記媒体を給送する給送手段を備え、前記突出部の少なくとも一部は、前記給送手段の少なくとも一部と装置奥行方向において重なることを特徴とする。
【００２１】
本態様によれば、前記エッジガイドが前記給送手段に近い位置まで媒体の側縁をガイドする構成とすることができる。
【００２２】
本発明の第８の態様は、第７の態様において、前記給送手段は給送ローラーであり、前記給送ローラーの回転軸を含む少なくとも一部と、前記突出部の少なくとも一部と、が装置奥行方向において重なることを特徴とする。
【００２３】
本態様によれば、前記給送手段として給送ローラーを備える媒体給送装置において、前記エッジガイドが前記給送手段に一層近い位置まで媒体の側縁をガイドする構成とすることができる。
【００２４】
本発明の第９の態様に係る画像読取装置は、前記媒体の画像を読み取る読取部と、前記読取部に向けて前記媒体を給送する第１の態様から第８の態様のいずれか一つの媒体給送装置と、を備えることを特徴とする。  
本態様によれば、画像読取装置に設けられる媒体給送装置において、第１の態様から第８の態様のいずれか一つと同様の作用効果が得られる。
【００２５】
本発明の第１０の態様に係る記録装置は、前記媒体に記録を行う記録手段と、前記記録手段に向けて前記媒体を給送する第１の態様から第８の態様のいずれか一つの媒体給送装置と、を備えることを特徴とする。  
本態様によれば、記録装置に設けられる媒体給送装置において、第１の態様から第８の態様のいずれか一つと同様の作用効果が得られる。
【図面の簡単な説明】
【００２６】
【図１】本発明に係るスキャナーを示す外観斜視図。
【図２】本発明に係るスキャナーを図１とは別角度から見た斜視図。
【図３】本発明に係るスキャナーにおける用紙搬送経路を示す側断面図。
【図４】媒体載置部を取り外した装置本体を背面側から見た斜視図。
【図５】媒体載置部を示す斜視図。
【図６】媒体載置部を図５とは別角度から見た斜視図。
【図７】媒体載置部の下側部材を取り外した状態であり、媒体載置部の内部を示す斜視図。
【図８】図５のＡ−Ａ矢視断面図。
【図９】エッジガイドの斜視図。
【図１０】エッジガイドの取付部を被取付部に取り付けた状態を示す斜視図。
【図１１】図７のＢ−Ｂ矢視断面斜視図。
【図１２】図７のＣ−Ｃ矢視断面図。
【図１３】エッジガイドを図９とは別角度から見た斜視図。
【図１４】図１３の要部拡大図。
【図１５】図１４のＤ−Ｄ矢視断面図。
【図１６】本発明に係るプリンターの一例を示す概略側断面図である。
【発明を実施するための形態】
【００２７】
［実施例１］
まず、本発明の一実施例に係る媒体給送装置を備えた画像読取装置の概略について説明する。本実施例では画像読取装置の一例として、媒体の表面及び裏面の少なくとも一面を読み取り可能なドキュメントスキャナー（以下、単にスキャナー１と称する）を例に挙げる。
【００２８】
図１は、本発明に係るスキャナーを示す外観斜視図である。図２は、本発明に係るスキャナーを図１とは別角度から見た斜視図である。図３は、本発明に係るスキャナーにおける用紙搬送経路を示す側断面図である。図４は、媒体載置部を取り外した装置本体を背面側から見た斜視である。図５は、媒体載置部を示す斜視図である。図６は、媒体載置部を図５とは別角度から見た斜視図である。図７は、媒体載置部の下側部材を取り外した状態であり、媒体載置部の内部を示す斜視図である。図８は、図５のＡ−Ａ矢視断面図である。図９は、エッジガイドの斜視図である。図１０は、エッジガイドの取付部を被取付部に取り付けた状態を示す斜視図である。図１１は、図７のＢ−Ｂ矢視断面斜視図である。図１２は、図７のＣ−Ｃ矢視断面図である。図１３は、エッジガイドを図９とは別角度から見た斜視図である。図１４は、図１３の要部拡大図である。図１５は、図１４のＤ−Ｄ矢視断面図である。
【００２９】
尚、各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、用紙Ｐが給送されていく方向（＋Ｙ方向側）を「下流」といい、これと反対の方向（−Ｙ方向側）を「上流」という。
【００３０】
■■■スキャナーの概要■■■
以下、主として図１及び図２を参照して、本発明に係る画像読取装置としてのスキャナー１について説明する。  
スキャナー１は、用紙Ｐの画像を読み取る読取部２０を内部に備える装置本体２を備えている。装置本体２には、「媒体」としての用紙Ｐ（図１）を給送する媒体給送装置１０が設けられている。
【００３１】
装置本体２は、下部ユニット３及び上部ユニット４を備えて構成されている。上部ユニット４は下部ユニット３に対して用紙搬送方向下流側を回動支点として開閉可能に取り付けられており、上部ユニット４を装置前面側に回動して開き、用紙Ｐの用紙搬送経路を露呈させて用紙Ｐの紙詰まりの処理を容易に行うことができる様に構成されている。
【００３２】
媒体給送装置１０は、給送される用紙Ｐを載置する載置面１１ａを有する媒体載置部１１を備え、媒体載置部１１は、装置本体２に対して着脱可能に設けられている。  
また、媒体給送装置１０は、媒体載置部１１に設けられ、用紙Ｐの給送方向（Ｙ軸方向）と交差する幅方向（Ｘ軸方向）の側縁をガイドするガイド面１３を備える左右一対のエッジガイド１２、１２を備えている。
【００３３】
媒体載置部１１は、第１補助ペーパーサポート８及び第２補助ペーパーサポート９を備えている。第１補助ペーパーサポート８及び第２補助ペーパーサポート９は、図２に示す様に媒体載置部１１の内部に収納可能であり、且つ、図１に示す様に媒体載置部１１から引き出し可能に構成され、載置面１１ａの長さを調整可能になっている。  
媒体載置部１１及びエッジガイド１２、１２を含む媒体給送装置１０の構成については、後で更に詳述する。
【００３４】
装置本体２は、上部ユニット４の装置前面側に、各種読み取り設定・読み取り実行を行う操作を行ったり、読み取り設定内容等を表示する操作パネル７を備えている。  
上部ユニット４の上部には装置本体２内部に連なる給送口６が設けられており、媒体載置部１１に載置される用紙Ｐは、給送口６から装置本体２内部に設けられる読取部２０に向けて送られる。  
また、下部ユニット３の装置前面側には、後述する排紙トレイ５が設けられている。
【００３５】
＜＜＜スキャナーにおける用紙搬送経路について＞＞＞
次に、図３を参照して、スキャナー１における用紙搬送経路について説明する。尚、図３における点線は用紙Ｐの搬送経路を示している。  
媒体載置部１１の下流側には、媒体載置部１１の載置面１１aに載置された用紙Ｐを給送する「給送手段」としての給送ローラー１４と、給送ローラー１４との間で用紙Ｐをニップして分離する分離ローラー１５を備えている。
【００３６】
媒体載置部１１の載置面１１aに載置された用紙Ｐは、下部ユニット３に対して回転可能に設けられた給送ローラー１４によりピックアップされて下流側（＋Ｙ方向側）に給送される。具体的には、用紙Ｐの載置面１１ａに対向する面に、給送ローラー１４が接触しつつ回転することにより、用紙Ｐを下流側に向けて給送する。したがって、スキャナー１において複数枚の用紙Ｐを媒体載置部１１にセットした場合には、載置面１１ａ側の用紙Ｐから順に下流側に向けて給送される。
【００３７】
給送ローラー１４の下流側には、搬送ローラー対１６と、画像を読み取る読取部２０と、排出ローラー対１７とが設けられている。給送ローラー１４及び分離ローラー１５によりニップされて下流側に給送された用紙Ｐは搬送ローラー対１６にニップされて、搬送ローラー対１６の下流側に位置する読取部２０に搬送される。
【００３８】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００３９】
用紙Ｐは、読取部２０において用紙Ｐの表面及び裏面の少なくとも一方の面の画像を読み取られた後、読取部２０の下流側に位置する排出ローラー対１７にニップされて、下部ユニット３の装置前面側に設けられた排出口１８から排出される。  
尚、本実施形態において給送ローラー１４、搬送ローラー対１６、及び排出ローラー対１７は、下部ユニット３内に設けられた少なくとも１つの駆動源（不図示）により回転駆動される。
【００４０】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された用紙Ｐを排紙トレイ５上に積載することができる。
【００４１】
■■■媒体給送装置について■■■
続いて、図５〜図１５を参照して媒体給送装置１０について説明する。前述したように、媒体給送装置１０は装置本体２に対して着脱可能な媒体載置部１１（図５）を備え、媒体載置部１１には一対のエッジガイド１２、１２が設けられている。  
装置本体２は、図４に示すように、装置背面側（−Ｙ軸方向）における装置幅方向（Ｘ軸方向）の両側に挿入孔１９を備えている。そして、媒体載置部１１において、装置幅方向（Ｘ軸方向）の両側に設けられる挿入部２１（図５）が、装置本体２の挿入孔１９に挿入されて、媒体載置部１１が装置本体２に取り付けられる。
【００４２】
＜＜＜媒体載置部の装置本体への着脱構造について＞＞＞
図５において、挿入部２１に設けられる凹部２１ａは、装置本体２の挿入孔１９側に設けられる不図示の凸部と係合する様になっている。挿入部２１側の凹部２１ａと、挿入孔１９（図４）側の凸部（不図示）が係合することにより、媒体載置部１１を装置本体２に取り付けた際のクリック感が得られるとともに、媒体載置部１１の取付位置を決めることができる。
【００４３】
媒体載置部１１（図５）には、先端に係合部２３を備えるロックレバー２２、２２（図７を参照）が設けられており、係合部２３、２３を装置本体２側に設けられる不図示の被係合部と係合させて、媒体載置部１１の装置本体２への取り付けをロックする。  
媒体載置部１１（図５）は、載置面１１ａを構成する上側部材２４と、媒体載置部１１の本体となる下側部材２５とを備えており、ロックレバー２２、２２は、上側部材２４と下側部材２５との間、すなわち、媒体載置部１１の内部に設けられている（図７）。
【００４４】
ロックレバー２２、２２は、図５に示す様に係合部２３、２３を含む一部が媒体載置部１１の外に露呈している。  
ロックレバー２２は、図７に示す様に回動軸２６を軸として回動可能に設けられているとともに、ねじりバネ等の付勢手段２７によって付勢されている。  
係合部２３、２３が装置本体２の被係合部（不図示）と係合している際は、ロックレバー２２、２２は付勢手段２７によって付勢された図７の状態になっており、媒体載置部１１が装置本体２に取り付けられた状態がロックされる。
【００４５】
図６に示す媒体載置部１１の背面側、すなわち、下側部材２５には、窓部２８、２８が設けられている。そして、ロックレバー２２、２２において、係合部２３、２３と反対側の端部に設けられる手掛け部２９、２９が、窓部２８、２８から露呈している。  
手掛け部２９、２９を手や指で押す等により、手掛け部２９、２９に外力を付与して装置幅方向の内側に変位させると、ロックレバー２２、２２は付勢手段２７の付勢力に抗して回動し、係合部２３、２３はそれぞれ外側に変位する。このことにより媒体載置部１１の装置本体２への取り付けのロックが解除されて、媒体載置部１１を装置本体２から取り外すことができる。
【００４６】
＜＜＜エッジガイドの構成について＞＞＞
エッジガイド１２、１２は、図５に示す様に、それぞれのガイド面１３、１３（図２も参照）の少なくとも一部が媒体載置部１１に対して前記給送方向（＋Ｙ軸方向）の下流側に突出する突出部３０、３０（図６及び図８も参照）を備えている。  
エッジガイド１２、１２が突出部３０、３０を備えることによって、より下流側までガイド面１３、１３による用紙Ｐの側縁のガイドが可能となり、例えば名刺サイズやカードサイズの媒体のように、給送方向の長さが短い用紙Ｐに対して、側縁のガイドの確実性を高めることができる。
【００４７】
エッジガイド１２、１２は、後述する被取付部４１、４１（図７、図１０）に取り付ける取付部３１、３１（図７、図１０）を備え、更に、突出部３０、３０に対して前記給送方向の反対方向（−Ｙ軸方向）を含む方向への外力が加わった際に、前記外力による取付部３１、３１の破損を抑制する「破損抑制手段」としての接触部３２（図８）を備えている点に特徴を有している。  
本発明の特徴部分である接触部３２（破損抑制手段）については、媒体載置部１１に設けられる被取付部４１、４１を含む、エッジガイド１２、１２の移動機構について説明した後に説明する。  
尚、図８〜図１５の各図においては左右いずれか一方側のエッジガイド１２を挙げて説明するが、他方側のエッジガイド１２は、一方側のエッジガイド１２を、Ｙ−Ｚ平面に対して対照となる形状に構成することができるので、その詳細な説明は省略する。
【００４８】
＜＜＜エッジガイドの移動機構について＞＞＞
エッジガイド１２、１２は、用紙Ｐのサイズに応じてＸ軸方向にスライド移動可能に設けられている。本実施例において、エッジガイド１２、１２は、公知のラックピニオン機構により一方のエッジガイド１２（例えば＋Ｘ側）のＸ移動に追従して、他方のエッジガイド１２（−Ｘ側）が相対する方向に移動するように構成されている。  
すなわち、媒体載置部１１において、用紙Ｐは幅方向の中央に揃えられ、所謂、センター給紙方式で給紙されるように構成されている。  
図１は、エッジガイド１２、１２が最も外側の位置にある状態であり、図２は、エッジガイド１２、１２が最も内側にある状態を示している。
【００４９】
媒体載置部１１の内部には、前記ラックピニオン機構として、Ｘ軸方向に延設される一対のラック部４０、４０と、ラック部４０、４０のラック（歯）と係合するピニオン歯車部４２が設けられている（図７）。ラック部４０、４０には被取付部４１、４１が設けられている。エッジガイド１２、１２の取付部３１、３１は、媒体載置部１１の上側部材２４に設けられるスライド溝４３、４３（図６）から媒体載置部１１の内部に挿入されて被取付部４１、４１に取り付けられる。  
この構成により、エッジガイド１２、１２の一方の移動に連動して他方を移動させるようになっている。
【００５０】
ここで、スキャナー１は、媒体載置部１１が装置本体２に着脱可能であるので、取り外された媒体載置部１１を取り扱う際に、落としたりぶつけたりする虞がある。媒体載置部１１に設けられるエッジガイド１２、１２は、媒体載置部１１から突出する突出部３０、３０を備えるので、媒体載置部１１が過って落下すると、突出部３０、３０の双方或いは一方が落下先の机や床面等にぶつかり易く、その衝撃により媒体載置部１１に対するエッジガイド１２、１２の取付部３１、３１が破損し易い。
【００５１】
エッジガイド１２、１２に設けられる接触部３２（図８〜図１０の各図を参照）は、突出部３０、３０に対して前記給送方向の反対方向（−Ｙ軸方向）を含む方向への外力が加わった際に、前記外力による取付部３１、３１の破損を抑制するものであり、エッジガイド１２、１２が接触部３２を備えることにより媒体載置部１１の落下等の衝撃により取付部３１、３１が破損する虞を低減できる。以下、接触部３２の具体的な構成について説明する。
【００５２】
＜＜＜接触部（破損抑制手段）につてい＞＞＞
接触部３２は、図９及び図１０に示す様に、前記給送方向（＋Ｙ軸方向）において、取付部３１と突出部３０との間に設けられ、突出部３０に対して−Ｙ軸方向を含む方向への前記外力が加わった際に媒体載置部１１と接触する様に構成されている。接触部３２は、媒体載置部１１において、装置本体２に取り付けられる際に装置本体２と対向して連結される連結面１１ｂ（図５及び図８）に接触する。尚、連結面１１ｂは、上側部材２４に設けられている。
【００５３】
接触部３２が無い場合、突出部３０に対して−Ｙ軸方向を含む方向への前記外力が加わると、前記外力による応力が取付部３１に集中する。一方、接触部３２が設けられていると、突出部３０に対して前記外力が加わった際に突出部３０が−Ｙ軸方向に押し上げられるが、接触部３２が媒体載置部１１の連結面１１ｂと接触することにより、前記外力によって取付部３１にかかる応力を低減することができる。以って、取付部３１が破損する虞を低減できる。
【００５４】
また、接触部３２は、媒体載置部１１と接触する接触面３３ａを有するリブ部３３と、リブ部３３を接触面３３ａの反対側から支持する支持部３４とを備えている（図９及び図１０）。本実施形態において、支持部３４（図９及び図１０）は、Ｘ軸方向に沿う側面視において三角状をしている（図１２も参照）。  
リブ部３３を接触面３３ａの反対側から支持する支持部３４が設けられていることにより、接触部３２の強度を高めることができる。
【００５５】
＜＜＜取付部について＞＞＞
続いて、エッジガイド１２に設けられる取付部３１の構成について説明する。  
媒体載置部１１側（ラック部４０）に設けられる被取付部４１は、前記幅方向（Ｘ軸方向）に長い矩形状の孔部として形成されている（図１０）。  
被取付部４１に取り付けられる取付部３１（図１０）は、エッジガイド１２において媒体載置部１１の載置面１１ａと対向する面である第１面４４に設けられている。  
取付部３１（図１０）は、前記孔部に挿入可能な矩形状の凸部３５であるとともに（図９を参照）、凸部３５の内部が空洞（図１０において符号３７で示す）に形成されており、前記矩形状の凸部３５の向い合う長辺の先端には、凸部３５の前記孔部からの抜けを規制する一対の抜け止めフック３６、３６が形成されている。
【００５６】
凸部３５の空洞３７は、図１２に示す様にＹ−Ｚ平面の断面が開口に向かってテーパー状に広がる形状になっており、矩形状の凸部３５の長辺同士が互いに近づく方向、すなわち、一対の抜け止めフック３６、３６が互いに近づく方向に変形可能になっている。  
取付部３１（凸部３５）が孔部である被取付部４１に挿抜される際には、矩形状の凸部３５の長辺同士が互いに近づく様に撓み、凸部３５が前記孔部を通過できる。取付部３１（凸部３５）が被取付部４１（孔部）を通過すると前記撓みが戻り、抜け止めフック３６、３６が前記孔部に引っかかり、凸部３５が前記孔部から抜けなくなる。
【００５７】
取付部３１を以上のように構成することにより、エッジガイド１２を媒体載置部１１に確実に取り付けることができるとともに、媒体載置部１１の落下等の衝撃に対する強度を高めることができる。
【００５８】
更に、取付部３１（図１３及び図１４）は、凸部３５の４つの角部３８ａ、３８ｂ、３８ｃ、３８ｄ（図１４）から延設されて、凸部３５が設けられる第１面４４に立設される延設リブ３９ａ、３９ｂ、３９ｃ、３９ｄ（延設リブ３９ｄは図９を参照）を備えている。  
平面である第１面４４に凸部３５が形成されていると、外力が加わった際に、第１面４４と凸部３５とが交差する部分、つまり凸部３５の根元部分に応力が集中し易く、中でも角部３８ａ、３８ｂ、３８ｃ、３８ｄの根元部分が破損の起点となり易い。延設リブ３９ａ、３９ｂ、３９ｃ、３９ｄが設けられていることにより、凸部３５の前記根元部分における破損の虞を低減できる。
【００５９】
また、延設リブ３９ａ、３９ｂ、３９ｃ、３９ｄのうち、凸部３５の−Ｘ軸方向側に位置する２つの延設リブ３９ａ、３９ｂは、その延設方向（−Ｘ軸方向）にある第２面４５に沿って更に延設されている。第２面４５は第１面４４と交差する面である。  
延設リブ（例えば、延設リブ３９ｃ、３９ｄ）があると、凸部３５の前記根元部分における応力を低減できるが、延設リブ３９ａ、３９ｂ、３９ｃ、３９ｄのそれぞれの端部に応力がかかる。延設リブ３９ａ、３９ｂについて、リブを延ばして第２面４５にまで延長することにより、延設リブ３９ａ、３９ｂの端部にかかる応力を低減することができる。  
このことにより、媒体載置部１１の落下等の衝撃に対する取付部３１の強度を一層高めることができる。
【００６０】
第１面４４と第２面４５との交差部（図１４及び図１５において両矢印Ｅで示す部分）には、Ｒ面取りが形成されていることが望ましい。  
このことによって、延設リブ３９ａ、３９ｂの第１面４４と第２面４５との交差部近傍にかかる応力を低減することができ、以って、媒体載置部１１の落下等の衝撃に対する強度を一層高めることができる。
【００６１】
＜＜＜エッジガイドにおける他の構成＞＞＞
エッジガイド１２において突出部３０の少なくとも一部は、図３に示す様に、給送ローラー１４（給送手段）の少なくとも一部と装置奥行方向（図３の紙面を正面視した際の左右方向）において重なっている。  
本実施形態においては、給送ローラー１４の回転軸１４ａ（図３）を含む少なくとも一部と、突出部３０の少なくとも一部とが装置奥行方向において重なっている。  
この構成により、エッジガイド１２が給送ローラー１４に近い位置まで用紙Ｐの側縁をガイドすることができる。
【００６２】
また本実施形態では、エッジガイド１２、１２が相対する方向に移動し、用紙Ｐが幅方向の中央に揃えられるセンター給紙方式の媒体給送装置１０について説明したが、例えば一方のエッジガイド１２が媒体載置部１１に固定されており、他方のエッジガイド１２が媒体載置部１１に対して移動するように構成された片寄せ給紙方式の媒体給送装置とすることもできる。その場合、媒体載置部１１に対して移動可能に取り付けられた前記他方側のエッジガイド１２が、接触部３２（破損抑制手段）及び取付部３１を備えて構成される。
【００６３】
［実施例２］
実施例２について、図１６を参照して説明する。図１６は、本発明に係るプリンターの一例を示す概略側断面図である。  
本発明に係る「記録装置」の一例としてのインクジェットプリンター５０（以下、単にプリンター５０と言う）は、「媒体」としての用紙Ｐに記録を行う「記録手段」としての記録ヘッド５３を装置本体５２内部に備えている。
【００６４】
以下、プリンター５０の概略構成について説明する。  
プリンター５０は、装置本体５２の上部から、媒体給送装置５１の媒体載置部５５に用紙Ｐをセット可能に構成されている。図１６において、用紙Ｐの搬送経路を点線で示している。媒体載置部５５は装置本体５２に対して着脱可能に構成されている。  
媒体載置部５５にセットされた用紙Ｐは、給送ローラー５６により給送され、給送ローラー５６の下流側に設けられる搬送ローラー対５７により、記録ヘッド５３の下方に送られる。符号５８は、記録ヘッド５３と対向する位置において用紙Ｐを支持する媒体支持部５８である。  
記録ヘッド５３による記録領域において記録が行われた後、用紙Ｐは、記録ヘッド５３の下流側に設けられる排出ローラー対５９により送られて、装置本体５２に開口として設けられる排出部６０から排出される。
【００６５】
図１６において、媒体給送装置５１は、実施例１における媒体給送装置１０と同様の構成を備えている。すなわち、媒体給送装置５１は、装置本体５２に対して着脱可能な媒体載置部５５と、媒体載置部５５の幅方向（Ｘ軸方向）の両側に設けられる一対のエッジガイド６１（図１６においては一方側のエッジガイドしか見えていない）を備え、エッジガイド６１は、ガイド面の少なくとも一部が媒体載置部５５に対して前記給送方向の下流側に突出する突出部６２を備えている。そして、エッジガイド６１は、媒体載置部５５に設けられる被取付部６５に取り付ける取付部６４と、突出部６２に対して給送方向の反対方向を含む方向への外力が加わった際に、前記外力による取付部６４の破損を抑制する「破損抑制手段」としての接触部６３を備えている。  
媒体給送装置５１によれば、装置本体５２から取り外した媒体載置部５５が落下する等により、突出部６２に対して給送方向の反対方向を含む方向への外力が加わった際に、エッジガイド６１の取付部６４が破損する虞を低減できる。
【００６６】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６７】
１…スキャナー（画像読取装置）、２…装置本体、３…下部ユニット、
４…上部ユニット、５…排紙トレイ、６…給送口、７…操作パネル、
８…第１補助ペーパーサポート、９…第２補助ペーパーサポート、１０…媒体給送装置、
１１…媒体載置部、１２…エッジガイド、１３…ガイド面、１４…給送ローラー、
１５…分離ローラー、１６…搬送ローラー対、１７…排出ローラー対、１８…排出口、
１９…挿入孔、２０…読取部、２０ａ…上部読取センサー、２０ｂ…下部読取センサー、
２１…挿入部、２２…ロックレバー、２３…係合部、２４…上側部材、
２５…下側部材、２６…回動軸、２７…付勢手段、２８…窓部、２９…手掛け部、
３０…突出部、３１…取付部、３２…接触部（破損抑制手段）、３３…リブ部、
３４…支持部、３５…凸部、３６…抜け止めフック、３７…空洞、
３８ａ、３８ｂ、３８ｃ、３８ｄ…角部、３９ａ、３９ｂ、３９ｃ、３９ｄ…延設リブ、
４０…ラック部、４１…被取付部、４２…ピニオン歯車部、４３…スライド溝、
４４…第１面、４５…第２面、５０…インクジェットプリンター、
５１…媒体給送装置、５２…装置本体、５３…記録ヘッド（記録手段）、
５５…媒体載置部、５６…給送ローラー、５７…搬送ローラー対、５８…媒体支持部、
５９…排出ローラー対、６０…排出部、６１…エッジガイド、６２…突出部、
６３…接触部（破損抑制手段）、６４…取付部、６５…被取付部、Ｐ…用紙（媒体）
【図１】
2018127331.tif 000003
【図２】
2018127331.tif 000004
【図３】
2018127331.tif 000005
【図４】
2018127331.tif 000006
【図５】
2018127331.tif 000007
【図６】
2018127331.tif 000008
【図７】
2018127331.tif 000009
【図８】
2018127331.tif 000010
【図９】
2018127331.tif 000011
【図１０】
2018127331.tif 000012
【図１１】
2018127331.tif 000013
【図１２】
2018127331.tif 000014
【図１３】
2018127331.tif 000015
【図１４】
2018127331.tif 000016
【図１５】
2018127331.tif 000017
【図１６】
2018127331.tif 000018